(57)【要約】【課題】シリンジのフランジの長径部側と短径部側を視覚により容易に確認可能であり、自動投与器の装着作業が迅速に行えるシリンジ用外筒およびそれを用いたプレフィルドシリンジを提供する。【解決手段】シリンジ用外筒２は、外筒本体部２１と、外筒本体部２１の先端側に設けられたノズル部２２と、外筒本体部２１の後端側に設けられた外方に突出するフランジ２３とを備える。そして、フランジ２３は、向かい合いかつほぼ平行に設けられた２つの直線状部２４ａ、２４ｂを備え、かつ、直線状部２４ａ、２４ｂの側面には、直線状部を視覚により確認可能な視認可能部２５ａ，２５ｂを備えている。【選択図】図４
2014087502.tif 000002
【特許請求の範囲】
【請求項１】
外筒本体部と、該外筒本体部の先端側に設けられたノズル部と、前記外筒本体部の後端側に設けられた外方に突出するフランジとを備えるシリンジ用外筒であって、
前記フランジは、向かい合いかつほぼ平行に設けられた２つの直線状部を備え、かつ、前記直線状部の側面には、前記直線状部を視覚により確認可能な視認可能部を備えていることを特徴とするシリンジ用外筒。
【請求項２】
前記視認可能部は、触感により確認可能である請求項１に記載のシリンジ用外筒。
【請求項３】
前記フランジは、向かい合う２つの円弧状外縁部を有し、かつ、前記２つの直線状部間に形成された短径部と、前記２つの円弧状外縁部間に形成された長径部を有している請求項１または２に記載のシリンジ用外筒。
【請求項４】
前記視認可能部は、光の反射が他の部分と異なるものとなっている請求項１ないし３のいずれかに記載のシリンジ用外筒。
【請求項５】
前記視認可能部は、多数のリブ、梨地表面もしくは多数の溝部により形成されている請求項１ないし４のいずれかに記載のシリンジ用外筒。
【請求項６】
前記視認可能部は、前記直線状部のほぼ全域に形成されている請求項１ないし５のいずれかに記載のシリンジ用外筒。
【請求項７】
前記直線状部は、前記直線状部の側面のほぼ全域に形成された凹部を有し、前記視認可能部は、前記直線状部の前記凹部の表面に形成されている請求項１ないし５のいずれかに記載のシリンジ用外筒。
【請求項８】
前記視認可能部は、前記直線状部の側面より外方に突出している請求項１ないし７のいずれかに記載のシリンジ用外筒。
【請求項９】
前記視認可能部は、前記シリンジ用外筒の中心軸に対して平行に延びる多数のリブにより形成されている請求項１ないし８のいずれかに記載のシリンジ用外筒。
【請求項１０】
請求項１ないし９のいずれかに記載のシリンジ用外筒と、前記外筒の前記ノズル部を封止する封止部材と、前記外筒内に収納された摺動可能なガスケットと、前記ガスケットの後端に取り付けられたもしくは取り付け可能なプランジャと、前記外筒と前記ガスケットと前記封止部材により形成される空間内に充填された薬液とからなることを特徴とするプレフィルドシリンジ。
【請求項１１】
前記プレフィルドシリンジは、前記フランジを挿入するフランジ収納部を備えた自動投与器に装着されるものである請求項１０に記載のプレフィルドシリンジ。
【発明の詳細な説明】
【技術分野】
【０００１】
本発明は、シリンジ用外筒およびそれを用いたプレフィルドシリンジに関する。
【背景技術】
【０００２】
患者に薬液を注射により投与する場合、バイアル瓶から注射器によって薬液を吸引し、直接血管に薬液を注入することによって行われている。しかしながら、このような投与準備は煩雑であるとともに、薬液投与には緊急性を有する場合もあり、予め薬液が充填されるいわゆるプレフィルドシリンジが多く用いられるようになっている。
プレフィルドシリンジとしては、充填されている薬液の性状、患者の状態により、インジェクターまたはシリンジポンプのような自動投与器に装着されて持続的投与が行われるものがある。そして、このようなタイプのプレフィルドシリンジは、投与準備として、インジェクターまたはシリンジポンプのような自動投与器への装着作業が必要であり、この装着作業が容易なものが求められていた。
【先行技術文献】
【特許文献】
【０００３】
【特許文献１】特開２００２−１１０９６号公報
【特許文献１】特開２００１−２１８８４２号公報
【発明の概要】
【発明が解決しようとする課題】
【０００４】
特許文献１には、シリンダホルダ溝によりシリンジのフランジを保持してシリンジを固定するためのシリンダホルダに装着されて、注入装置用として用いることができるシリンジであって、前記シリンダホルダと係合して、装着されるシリンジの装着方向を規定するガイドを有するシリンジが開示されている。
特許文献１の図２にもあるように、自動投与器にシリンジを装着する場合、自動投与器が備えるシリンジのフランジ収納部にシリンジのフランジを挿入し、装着することが必要である。そして、シリンジのフランジは、通常真円形ではなく、長径部および短径部を有する。自動投与器のフランジ収納部への挿入のためには、その自動投与器のフランジ収納部の形態に適合した長径部側もしくは短径部側より挿入することが必要である。このため、シリンジとしては、フランジの長径部側と短径部側を容易に確認可能とすることにより、自動投与器のフランジ収納部への装着作業が迅速側に行えるものとなる。
【０００５】
特許文献１のものでは、外筒本体部の後端側に設けられた外方に突出するドーナツ盤状のフランジを備え、ドーナツ盤状のフランジには、向かい合いかつほぼ平行に設けられた２つの直線状部（カット部）を備えている。そして、直線状部（カット部）の側面には、特許文献１の図２に示すように、位置決め機構と嵌合する凹部として、位置決めカット４１が設けられている。
しかし、この溝は、直線状部（カット部）の側面のほぼ中央部に一つ設けられたのみであり、フランジは肉厚が薄いこともあり、その溝を視覚により確認することは極めて困難である。
特許文献２には、シリンジ外筒の鍔（フランジ）前面および後面の少なくとも一方が粗面化されているシリンジ外筒が開示されている。このような粗面化により、フランジ自体の視認は容易になると思われるが、上記粗面部では、フランジの長径部側と短径部側の視認には寄与しない。
そこで、本発明の目的は、シリンジのフランジの長径部側と短径部側を視覚により容易に確認可能とすることにより、自動投与器のフランジ収納部への装着作業が迅速に行えるシリンジ用外筒およびそれを用いたプレフィルドシリンジを提供するものである。
【課題を解決するための手段】
【０００６】
上記目的を達成するものは、以下のものである。
（１）  外筒本体部と、該外筒本体部の先端側に設けられたノズル部と、前記外筒本体部の後端側に設けられた外方に突出するフランジとを備えるシリンジ用外筒であって、前記フランジは、向かい合いかつほぼ平行に設けられた２つの直線状部を備え、かつ、前記直線状部の側面には、前記直線状部を視覚により確認可能な視認可能部を備えているシリンジ用外筒。
（２）  前記視認可能部は、触感により確認可能である上記（１）に記載のシリンジ用外筒。
（３）  前記フランジは、向かい合う２つの円弧状外縁部を有し、かつ、前記２つの直線状部間に形成された短径部と、前記２つの円弧状外縁部間に形成された長径部を有している上記（１）または（２）に記載のシリンジ用外筒。
（４）  前記視認可能部は、光の反射が他の部分と異なるものとなっている上記（１）ないし（３）のいずれかに記載のシリンジ用外筒。
（５）  前記視認可能部は、多数のリブ、梨地表面もしくは多数の溝部により形成されている上記（１）ないし（４）のいずれかに記載のシリンジ用外筒。
（６）  前記視認可能部は、前記直線状部のほぼ全域に形成されている上記（１）ないし（５）のいずれかに記載のシリンジ用外筒。
（７）  前記直線状部は、前記直線状部の側面のほぼ全域に形成された凹部を有し、前記視認可能部は、前記直線状部の前記凹部の表面に形成されている上記（１）ないし（５）のいずれかに記載のシリンジ用外筒。
（８）  前記視認可能部は、前記直線状部の側面より外方に突出している上記（１）ないし（７）のいずれかに記載のシリンジ用外筒。
（９）  前記視認可能部は、前記シリンジ用外筒の中心軸に対して平行に延びる多数のリブにより形成されている上記（１）ないし（８）のいずれかに記載のシリンジ用外筒。
【０００７】
また、上記目的を達成するものは、以下のものである。
（１０）  上記（１）ないし（９）のいずれかに記載のシリンジ用外筒と、前記外筒の前記ノズル部を封止する封止部材と、前記外筒内に収納された摺動可能なガスケットと、前記ガスケットの後端に取り付けられたもしくは取り付け可能なプランジャと、前記外筒と前記ガスケットと前記封止部材により形成される空間内に充填された薬液とからなるプレフィルドシリンジ。
（１１）  前記プレフィルドシリンジは、前記フランジを挿入するフランジ収納部を備えた自動投与器に装着されるものである上記（１０）に記載のプレフィルドシリンジ。
【発明の効果】
【０００８】
本発明のシリンジ用外筒は、外筒本体部と、外筒本体部の先端側に設けられたノズル部と、前記外筒本体部の後端側に設けられた外方に突出するフランジとを備える。フランジは、向かい合いかつほぼ平行に設けられた２つの直線状部を備え、かつ、前記直線状部の側面には、前記直線状部を視覚により確認可能な視認可能部を備えている。
このシリンジ用外筒では、フランジは、向かいかつほぼ平行に設けられた２つの直線状部間に形成された短径部と、この短径部と直交する長径部を有している。そして、フランジの直線状部の側面には、直線状部を視覚により確認可能な視認可能部を備えているので、フランジの短径部側を視覚により容易に確認であり、自動投与器のフランジ収納部への装着作業を迅速に行うことができる。
【０００９】
また、本発明のプレフィルドシリンジは、上記のシリンジ用外筒と、外筒のノズル部を封止する封止部材と、外筒内に収納された摺動可能なガスケットと、ガスケットの後端に取り付けられたもしくは取り付け可能なプランジャと、外筒とガスケットと封止部材により形成される空間内に充填された薬液とからなるものである。このため、このプレフィルドシリンジは、フランジの短径部側を視覚により容易に確認でき、自動投与器のフランジ収納部への装着作業を迅速に行うことができる。
【図面の簡単な説明】
【００１０】
【図１】図１は、本発明の一実施例のプレフィルドシリンジの正面図である。
【図２】図２は、図１に示したプレフィルドシリンジの右側面図である。
【図３】図３は、図１のＡ−Ａ断面図である。
【図４】図４は、本発明のシリンジ用外筒の斜視図である。
【図５】図５は、本発明のシリンジ用外筒の拡大底面図である。
【図６】図６は、本発明の一実施例のシリンジ用外筒の後端部の部分拡大正面図である。
【図７】図７は、図６に示したシリンジ用外筒のフランジ部分を説明するための説明図である。
【図８】図８は、本発明の他の実施例のシリンジ用外筒の後端部の部分拡大正面図である。
【図９】図９は、本発明の他の実施例のシリンジ用外筒の後端部の部分拡大正面図である。
【図１０】図１０は、本発明の他の実施例のシリンジ用外筒の後端部の部分拡大正面図である。
【図１１】図１１は、本発明の他の実施例のシリンジ用外筒の後端部の部分拡大正面図である。
【図１２】図１２は、図１１に示したシリンジ用外筒のフランジ部分を説明するための説明図である。
【図１３】図１３は、図１に示したプレフィルドシリンジに用いられている外筒の拡大縦断面図である。
【図１４】図１４は、図１３の外筒の先端部の拡大断面図である。
【図１５】図１５は、図１に示したプレフィルドシリンジに用いられている封止部材の拡大正面図である。
【図１６】図１６は、１５に示した封止部材の縦断面図である。
【図１７】図１７は、図１に示したプレフィルドシリンジに用いられているプランジャの正面図である。
【図１８】図１８は、図１７に示したプランジャの右側面図である。
【図１９】図１９は、図１７に示したプランジャの拡大斜視図である。
【図２０】図２０は、図１に示したプレフィルドシリンジに用いられているガスケットの拡大正面図である。
【図２１】図２１は、図２０に示したガスケットの縦断面図である。
【発明を実施するための形態】
【００１１】
本発明のプレフィルドシリンジおよびシリンジ用外筒を図面に示す実施例を用いて説明する。
本発明のシリンジ用外筒２は、外筒本体部２１と、外筒本体部２１の先端側に設けられたノズル部２２と、外筒本体部２１の後端側に設けられた外方に突出するフランジ２３とを備える。そして、フランジ２３は、向かい合いかつほぼ平行に設けられた２つの直線状部２４ａ、２４ｂを備え、かつ、直線状部２４ａ、２４ｂの側面には、直線状部を視覚により確認可能な視認可能部２５ａ，２５ｂを備えている。本発明のシリンジ用外筒２は、プレフィルドシリンジ用外筒として用いることができる。
また、本発明のプレフィルドシリンジ１は、上記のシリンジ用外筒２と、外筒２のノズル部２２を封止する封止部材３と、外筒内に収納された摺動可能なガスケット４と、ガスケット４の後端に取り付けられたもしくは取り付け可能なプランジャ５と、外筒２とガスケット４と封止部材３により形成される空間内に充填された薬液８とからなるものである。なお、この実施例では、封止部材３は、着脱可能なシールキャップ３により形成されている。
【００１２】
本発明のプレフィルドシリンジ１は、外筒２とガスケット４と封止部材であるシールキャップ３により形成される空間内に充填された薬液８とからなる。
シリンジ用外筒２は、透明もしくは半透明材料により、好ましくは、酸素透過性、水蒸気透過性の少ない材料により形成された筒状体である。
外筒２は、外筒本体部２１と、外筒本体部２１の先端側に設けられたノズル部２２と、外筒本体部２１の後端側に設けられたフランジ２３を備える。
外筒本体部は、ガスケット４を液密かつ摺動可能に収納するほぼ筒状の部分であり、ノズル部は、外筒本体部２１より小径の筒状部となっている。また、外筒本体部の先端部はノズル部に向かって縮径するテーパ部となっている。
【００１３】
フランジ２３は、図１ないし図５に示すように外筒本体部２１の後端全周より垂直方向に突出するように形成された円弧状外縁を有するものとなっている。言い換えれば、フランジは、内部が欠損したドーナツ盤状のものとなっている。
円弧状外縁を有するフランジ２３は、図５に示すように、向かい合いかつほぼ平行に設けられた２つの直線状部２４ａ、２４ｂを備え、かつ、直線状部２４ａ、２４ｂの側面には、図４に示すように直線状部を視覚により確認可能な視認可能部２５ａ，２５ｂを備えている。また、フランジは、向かい合う２つの円弧状外縁部２６ａ，２６ｂを有している。そして、フランジ２３は、図５に示すように、向かいかつほぼ平行に設けられた２つの直線状部２４ａ、２４ｂ間に形成された短径部と、向かい合う２つの円弧状外縁部間に形成された長径部を有している。また、上記の短径部と上記の長径部は、ほぼ直交するものとなっている。長径部は、向かいあう２つの円弧状外縁部２６ａ，２６ｂの中央部間により形成されている。視認可能部は、他の部位と異なる表面性状を有し、光の反射が他の部位と明らかに異なるものとなっている。これにより、視認可能部は、視覚により容易に確認することができる。特に、視認可能部２５ａ，２５ｂは、直線状部２４ａ、２４ｂのほぼ全域に形成されていることが好ましい。これにより、直線状部２４ａ、２４ｂのほぼ全域において、光の反射が他の部位と明らかに異なるものとなるため、視覚による視認可能部の確認がより容易となる。
また、視認可能部は、指による接触により確認可能であることが好ましい。このようにすることにより、視覚のみならず、触感により、直線状部を確認することが可能となる。
【００１４】
図６および図６のＢ−Ｂ線拡大部分断面図（説明図）である図７に示すように、この実施例の外筒２では、直線状部２４ａ、２４ｂは、他の部分と連続する平坦面となっており、かつ、視認可能部２５ａ，２５ｂは、直線状部２４ａ、２４ｂの側面より外方に突出する多数のリブにより形成されている。特に、この実施例の視認可能部２５ａ、２５ｂでは、外筒２の中心軸に対してほぼ平行に所定長延び、かつ多数形成されたリブにより形成されている。シリンジ用外筒２を成形する際、シリンジ用外筒２の中心軸に対して平行に金型を抜くため、この実施例のように、視認可能部であるリブはシリンジ用外筒２の中心軸に対してほぼ平行に所定長延びていることが好ましい。また、直線状部２４ａ、２４ｂの両端部には、視認可能部２５ａ、２５ｂを形成するリブが存在しないものとなっている。なお、このリブは、上記のような外筒の中心軸に対して平行なものとなっているが、外筒２の中心軸に対して斜めに延びるものであってもよい。
【００１５】
さらに、視認可能部としては、図８に示す外筒２ａの視認可能部６１ａ、６１ｂのように、ドット状の多数のリブにより形成されたものであってもよい。
さらに、視認可能部としては、図９に示す外筒２ｂの視認可能部６２ａ，６２ｂのように、直線状部２４ａ，２４ｂの側面に設けた多数の溝により形成されたものであってもよい。視認可能部６２ａ，６２ｂを形成する多数の溝としては、図９に示すような菱形目のローレット状であることが好ましい。なお、平目、斜目または、四角目のローレット状であってもよい。さらには、外筒の中心軸に対して平行に延びる多数の溝、外筒の中心軸に対して斜めに延びる多数の溝であってもよい。
【００１６】
さらに、視認可能部としては、図１０に示す外筒２ｃの視認可能部６３ａ，６３ｂのように、直線状部２４ａ，２４ｂの側面の全面もしくは所定領域に設けた梨地状面により形成されたものであってもよい。
また、上述したすべての実施例において、図１１および図１１のＣ−Ｃ線拡大部分断面図（説明図）である図１２に示す外筒２ｄのように、直線状部２４ａ，２４ｂは、その側面の全域もしくは所定領域に設けた凹部６０ａ、６０ｂを有するものであってもよい。この実施例のものでは、凹部６０ａ，６０ｂは、直線状部２４ａ，２４ｂのほぼ全域となるように形成されている。そして、この凹部６０ａ，６０ｂの表面に視認可能部２５ａ，２５ｂが形成されている。図示するものでは、視認可能部は、上述した外筒２の視認可能部２５ａ，２５ｂと同じものとなっている。この凹部６０ａ，６０ｂの深さは、視認可能部２５ａ，２５ｂである多数のリブの高さと等しいものであり、視認可能部２５ａ，２５ｂである多数のリブが、直線状部２４ａ，２４ｂの側面よりも外方に突出することがない。これにより、例えば、フランジ収納部を有する自動投与器にシリンジ用外筒をセットする際、視認可能部２５ａ，２５ｂに邪魔されることなくフランジをフランジ収納部に挿入することができる。なお、視認可能部の形態は、上述したすべてのタイプのものを用いることができる。そして、上述したすべての実施例における視認可能部は、指による接触などの触感により確認可能なものとなっている。
なお、視認可能部としては、色によって確認可能なものでもよい。このような視認可能部としては、直線状部２４ａ、２４ｂにインクなどの印刷を施したもの、直線状部２４ａ、２４ｂをレーザーなどによりマーキングしたもの、直線状部２４ａ、２４ｂと外筒２の直線状部２４ａ、２４ｂ以外の部分とを異なる色の樹脂により２色成形したものなどが挙げられる。
【００１７】
ノズル部２２は、図３、図１３および図１４に示すように、ノズル本体部２４と、ノズル本体部２４と同心的に形成されたカラー２５とを備えている。ノズル本体部２４は、外筒２の先端に設けられており、外筒内の薬液等を排出するための先端開口部を備えるとともに先端に向かってテーパ状に縮径するように形成されている。カラー２５は、ノズル部２２を取り囲むようにノズル部２２と同心的に円筒状に形成されている。また、カラー２５は、先端が開口しており、カラー２５の内径および外径は基端から先端までほぼ同一径となっている。また、カラー２５の先端開口からはノズル本体部２４の先端部が突出しており、ノズル部本体２４およびカラー２５の先端部は、ノズル本体部２４およびカラー２５を封止部材（シールキャップ）３内に収納しやすくするため面取り加工されている。
カラー２５の内周面には、後述する封止部材（シールキャップ）３のノズル収納部３０に形成されたリブ３５および使用時に接続される注射針のハブ（図示せず）と係合するためのネジ溝（外筒側螺合部）２６が形成されている。これにより、外筒２とシールキャップ３はカラー内周面とノズル収納部外周面との間で係合する。また、ネジ溝（外筒側螺合部）２６は、シールキャップ３を外筒から取り外した後注射針（注射針のハブ）を取り付ける部分となる。
外筒２の形成材料としては、例えば、ポリプロピレン、ポリエチレン、ポリスチレン、ポリアミド、ポリカーボネート、ポリ塩化ビニル、ポリ−（４−メチルペンテン−１）、アクリル樹脂、アクリロニトリル−ブタジエン−スチレン共重合体、ポリエチレンテレフタレート等のポリエステル、環状ポリオレフィンポリマー、環状オレフィンコポリマーのような各種樹脂が挙げられるが、その中でも成形が容易で耐熱性があることから、ポリプロピレン、環状ポリオレフィンポリマー、環状オレフィンコポリマーのような樹脂が好ましい。なお、内部に充填された薬液を外側から目視にて確認できるように透明性が高く、オートクレーブ滅菌に耐えられる耐熱性を有する環状ポリオレフィンポリマー、環状オレフィンコポリマーが、外筒２の形成材料として特に好ましい。
【００１８】
封止部材（シールキャップ）３は、図３、図１５および図１６に示すように、閉塞端３１と、筒状本体部３２と、筒状部内に形成されたノズル収納部３０とを有している。さらに、ノズル収納部３０は、ノズル本体部２４の先端部を収納するノズル先端部収納部３９と、カラー２５の先端部を収納するカラー先端部収納部３４とを備えている。そして、筒状本体部３２は、上端が閉塞し、下端が開放開口した円筒部である。ノズル収納部３０は、ノズル部２２のほぼ全体を収納するものとなっている。ノズル収納部３０には、閉塞端３１の内側より、下方（開口部方向）に、かつ、筒状本体部３２と同心的に形成された短筒部３３を備えている。そして、短筒部３３の下端部には、カラー２５の内面に形成された螺合部２６と係合可能なリブ３５が形成されている。
また、キャップの外側面には、すべり止め用の突出部３６が、閉塞端３１の上面には、複数のリブ３７が、筒状本体部３２の下面にも複数のリブ３８が形成されている。
封止部材（シールキャップ）の形成材料としては、天然ゴム、イソプレンゴム、ブチルゴム、ブタジエンゴム、フッ素ゴム、シリコーンゴム等の合成ゴム、オレフィン系エラストマーやスチレン系エラストマー等の熱可塑性エラストマー等の弾性材料が好ましい。
【００１９】
ガスケット４は、図２０および図２１に示すようにほぼ同一外径にて延びる筒状本体部４０と、本体部４０より先端方向に延びるテーパ状閉塞部４１とを備える。そして、本体部４０の外側面には、複数の環状リブ４４，４５，４６（この実施例では３つ、２つ以上であれば、液密性と摺動性を満足できれば適宜数としてもよい）が形成されている。これらのリブは、外筒２の内面に液密に接触する。また、ガスケット４の閉塞部４１は、外筒２の先端内面に当接した時に、両者間に極力隙間を形成しないように、外筒２の先端内面形状に対応した形状となっている。
【００２０】
そして、ガスケット４は、筒状本体部４０の内部であり、かつ、後端開口部より先端方向に延びる凹部４２を備える。この凹部４２は、プランジャ５の先端部５２を収納可能である。さらに、凹部４２の内面（筒状本体部４０の内面）には、ガスケット側螺合部４３が形成されている。ガスケット側螺合部４３は、プランジャ５の先端部に形成された突出部５２の外面に形成されたプランジャ側螺合部５７と螺合可能である。両者が螺合することにより、プランジャ５は、ガスケット４より離脱しない。なお、プランジャ５は、取り外しておき、使用時に取り付けるようにしてもよい。また、ガスケット４は、筒状本体部４０の下端面に、複数のリブ４７が設けられている。
ガスケット４の形成材料としては、弾性を有するゴム（例えば、ブチルゴム、ラテックスゴム、シリコーンゴムなど）、合成樹脂（例えば、ＳＢＳエラストマー、ＳＥＢＳエラストマー等のスチレン系エラストマー、エチレン−αオレフィン共重合体エラストマー等のオレフィン系エラストマーなど）等を使用することが好ましい。
【００２１】
プランジャ５は、図１，図２、図１７ないし図１９に示すように、プランジャ本体部５０と、プランジャ本体部５０より先端方向に突出するガスケット４への装着用先端部５２とを備える。プランジャ本体部５０は、フランジ部５６、押圧部５３、補強部５４を備えている。
プランジャ本体部５０は、図１７ないし図１９に示すように断面十字状に形成されたシャフト部を備え、シャフト部は、４つの平板部５１ａ，５１ｂ，５１ｃ，５１ｄにより形成されている。そして、本体部５０（シャフト部）の先端には、フランジ５６が設けられ、後端部には、円盤状のプランジャ押圧部５３が設けられている。
【００２２】
装着用先端部５２は、 プランジャ５の先端部に設けられた突出部である。装着用先端部５２は、フランジ５６の中央付近から前方（先端方向）に突出している。装着用先端部５２は、筒状部であることが望ましいが、棒状部であってもよい。この実施例では、図１９に示すように、装着用先端部５２は、内側に十字状の補強部を有する筒状部となっている。
そして、装着用先端部５２の外面には、ガスケット４のガスケット側螺合部４３と螺合するプランジャ側螺合部５７が設けられている。プランジャ側螺合部５７は、螺旋状リブにより形成されている。ガスケット４の螺旋状螺合部４３に対応するように、二条（二本）の螺旋状リブ５７を備えている。螺旋状リブは、一条（一本）のみであってもよい。そして、この実施例の注射器では、後述するガスケット４とプランジャ５は、プランジャ５を回転させることにより両者が装着状態となる。
【００２３】
そして、この実施例のプランジャ５は、本体部５０の先端部に設けられた４つの補強部５４を備えている。
各補強部５４は、図１７ないし図１９に示すように、平板状の軸方向補強部５４ａと、軸方向補強部と５４ａと一端が接合した周方向補強部５４ｂにより構成されている。軸方向補強部５４ａは、シャフト部を構成するいずれかの平板部５１ａ，５１ｂ，５１ｃ，５１ｄの表面より直交するように、かつ、フランジ５６の後端面からも直交するように、所定長延びる平板状のものとなっている。そして、軸方向補強部５４ａは、プランジャの中心軸にほぼ平行となるように設けられている。また、軸方向補強部５４ａの軸方向長は、シャフト部の全長（平板部の全長）の１／６〜１／４程度であることが好ましい。また、軸方向補強部５４ａは、図１８に示すように、その終端（基端）は、面取り形状もしくは円弧状となっている。
【００２４】
周方向補強部５４ｂは、軸方向補強部の基端側端部より若干先端側（フランジ５６側）となる位置に設けられている。周方向補強部は、軸方向補強部５４ａと向かい合うシャフト部間を連結しており、周方向の一端が、軸方向補強部５４ａの一方の側面より延び、他端が軸方向補強部５４ａと向かい合う平板部に到達するものとなっており、かつ、底面は、軸方向補強部５４ａが突出する平板部と連結している。つまり、周方向補強部５４ｂは、周方向補強部５４ｂと近接する軸方向補強部５４ａと、２つの平板部を連結するものとなっている。また、周方向補強部５４ｂは、フランジ５６とほぼ平行となるように設けられている。
このような補強部５４を有することにより、ガスケットに装着されたプランジャの外筒内での傾倒を防止できる。
【００２５】
プランジャ５の構成材料としては、高密度ポリエチレン、ポリプロピレン、ポリスチレン、ポリエチレンテレフタレート等の硬質もしくは半硬質樹脂を用いることが好ましい。
外筒２とガスケット４と封止部材により形成される空間内に充填される薬液８としては、例えば、造影剤、高濃度塩化ナトリウム注射液、ミネラル類、ヘパリンナトリウム水溶液、ニトログリセリン、硝酸イソソルビド、シクロスポリン、ベンゾジアゼピン系薬剤、抗生物質、ビタミン剤（総合ビタミン剤）、各種アミノ酸、ヘパリンのような抗血栓剤、インスリン、抗腫瘍剤、鎮痛剤、強心剤、静注麻酔剤、抗パーキンソン剤、潰瘍治療剤、副腎皮質ホルモン剤、不整脈用剤、補正用電解質、抗ウイルス剤、免疫賦活剤等が挙げられる。充填される薬液８としては、特に、外筒２のフランジ２３を挿入するフランジ収納部を有するインジェクター、シリンジポンプなどの自動投与器にプレフィルドシリンジ１（外筒２）が装着されて、投与されるものであることが好ましい。このように投与される薬液８としては、血管造影用の造影剤が挙げられる。
【符号の説明】
【００２６】
１  プレフィルドシリンジ
２  シリンジ用外筒
３  封止部材
４  ガスケット
５  プランジャ
８  薬液
２１  外筒本体部
２３  フランジ
２４ａ、２４ｂ  直線状部
２５ａ，２５ｂ  視認可能部
【図１】
2014087502.tif 000003
【図２】
2014087502.tif 000004
【図３】
2014087502.tif 000005
【図４】
2014087502.tif 000006
【図５】
2014087502.tif 000007
【図６】
2014087502.tif 000008
【図７】
2014087502.tif 000009
【図８】
2014087502.tif 000010
【図９】
2014087502.tif 000011
【図１０】
2014087502.tif 000012
【図１１】
2014087502.tif 000013
【図１２】
2014087502.tif 000014
【図１３】
2014087502.tif 000015
【図１４】
2014087502.tif 000016
【図１５】
2014087502.tif 000017
【図１６】
2014087502.tif 000018
【図１７】
2014087502.tif 000019
【図１８】
2014087502.tif 000020
【図１９】
2014087502.tif 000021
【図２０】
2014087502.tif 000022
【図２１】
2014087502.tif 000023